(57)【要約】【課題】安定したホワイトバランス調整を行うことができるオートホワイトバランス装置を提供する。【解決手段】ブロック分割回路１１０において、親ブロックを子ブロックに分割して、代表値計算回路１２０において、子ブロックごとに代表値を計算した後、親ブロックの代表色差成分と、各子ブロックの代表色差成分との色差平面上での距離を求めて、その距離が所定の閾値Ｓ以下かどうかを判定する。判定の結果、代表値計算回路１２０は、その距離が閾値Ｓ以下の条件を満たす子ブロックを選択し、選択された子ブロックのみを用いて、親ブロックの代表値を再計算する。また、ホワイトバランス評価回路１３０は、選択されなかった子ブロックの数に応じて親ブロックの信頼度を修正する。【選択図】図２
2006211440.tif 000002
【特許請求の範囲】
【請求項１】
撮像された画像に対してホワイトバランス調整を行うオートホワイトバランス装置において、
入力された画像を複数のブロックに分割するブロック分割手段と、
分割したブロックごとにブロック内の各色値に基づき、ブロックを代表する輝度及び色差を含む代表値を計算する代表値計算手段と、
各ブロックの代表値に基づいて、前記画像に対してホワイトバランス調整を行うホワイトバランス調整手段と、
を備え、
前記ブロック分割手段は、
入力された画像を複数の親ブロックに分割する親ブロック分割手段と、
各親ブロックをさらに複数の子ブロックに分割する子ブロック分割手段と、
を含み、
前記代表値計算手段は、
親ブロック内の各色値に基づき、親ブロックを代表する輝度及び色差を含む代表値を計算する親代表値計算手段と、
子ブロック内の各色値に基づき、子ブロックを代表する輝度及び色差を含む代表値を計算する子代表値計算手段と、
親代表色差と、その親ブロックに含まれる各子ブロックの子代表色差との比較に基づき、その親ブロックに含まれる子ブロック群の中から、所望の子ブロックをいくつか選択する子ブロック選択手段と、
選択された各子ブロックの代表値に基づいて、その親ブロックの代表値を再計算する親代表値再計算手段と、
を含み、
前記ホワイトバランス調整手段は、
再計算された各親ブロックの代表値に基づいて、前記画像に対してホワイトバランス調整を行うことを特徴とするオートホワイトバランス装置。
【請求項２】
請求項１に記載のオートホワイトバランス装置は、さらに、
想定する光源についてそれぞれ、親ブロックごとに、各光源下での白色物体の色差と各親ブロックの代表色差との色差平面上での距離を求めて、これら各距離に基づき前記各光源が前記各親ブロックのシーンを照明している信頼度を推定するブロック信頼度推定手段と、
前記子ブロック選択手段で選択された子ブロックの数に基づいて、前記各親ブロックの信頼度を修正する信頼度修正手段と、
を備え、
前記ホワイトバランス調整手段は、
再計算された各親ブロックの代表値及び修正された各親ブロックの信頼度に基づいて、前記画像に対してホワイトバランス調整を行うことを特徴とするオートホワイトバランス装置。
【請求項３】
請求項２に記載のオートホワイトバランス装置において、
前記信頼度修正手段は、
前記子ブロック選択手段で選択された子ブロックの数が少ないほど、親ブロックの信頼度が低くなるように修正することを特徴とするオートホワイトバランス装置。
【請求項４】
請求項１乃至３のいずれか１つに記載のオートホワイトバランス装置において、
前記子ブロック選択手段は、
親代表色差と、その親ブロックに含まれる各子ブロックの子代表色差との色差平面上での距離に基づいて、その親ブロックに含まれる子ブロック群の中から、所望の子ブロックをいくつか選択することを特徴とするオートホワイトバランス装置。
【請求項５】
請求項１乃至３のいずれか１つに記載のオートホワイトバランス装置において、
前記子ブロック選択手段は、
親代表色差と、その親ブロックに含まれる各子ブロックの子代表色差との色差平面上での距離をそれぞれ求めて、その距離が所定の閾値以下の子ブロックを、所望の子ブロックとして選択することを特徴とするオートホワイトバランス装置。
【請求項６】
請求項５に記載のオートホワイトバランス装置において、
前記所定の閾値は、各親ブロックの代表色差に基づいてそれぞれ定められることを特徴とするオートホワイトバランス装置。
【請求項７】
請求項１乃至６のいずれか１つに記載のオートホワイトバランス装置は、さらに
前記画像の被写体輝度に基づいて、前記画像を子ブロックに分割するか否かを決定する子ブロック分割決定手段を備え、
子ブロックに分割しないと決定された場合、前記ホワイトバランス調整手段は、前記親代表値計算手段で計算された各親ブロックの代表値に基づいて、前記画像に対してホワイトバランス調整を行うことを特徴とするオートホワイトバランス装置。
【請求項８】
請求項７に記載のオートホワイトバランス装置において、
前記子ブロック分割手段は、前記画像の被写体輝度が、複数の光源が取りうる輝度範囲に含まれる場合に、前記画像を子ブロックに分割すると決定することを特徴とするオートホワイトバランス装置。
【請求項９】
請求項７に記載のオートホワイトバランス装置において、
前記子ブロック分割決定手段は、前記画像の被写体輝度が、昼光と蛍光灯もしくは昼光とタングステン光が共に取りうる輝度範囲に含まれる場合に、前記画像を子ブロックに分割すると決定することを特徴とするオートホワイトバランス装置。
【請求項１０】
請求項７乃至９のいずれか１つに記載のオートホワイトバランス装置において、
前記子ブロック分割決定手段は、
前記画像の被写体輝度に基づいて、前記画像を子ブロックに分割すると決定した場合、さらに、前記画像を構成する全親ブロックの代表色差の平均に基づいて、前記画像の光源が所定の光源と推定されるか否かを判定し、所定の光源ではないと推定される場合のみ、前記画像を子ブロックに分割すると最終決定することを特徴とするオートホワイトバランス装置。
【請求項１１】
請求項７乃至９のいずれか１つに記載のオートホワイトバランス装置において、
前記子ブロック分割決定手段は、
前記画像の被写体輝度に基づいて、前記画像を子ブロックに分割すると決定した場合、さらに、前記画像を構成する各親ブロックの代表色差に基づいて、親ブロックごとに親ブロックの光源が所定の光源と推定されるか否かを判定し、所定の光源ではないと推定される親ブロックのみ、子ブロックに分割すると最終決定することを特徴とするオートホワイトバランス装置。
【請求項１２】
請求項１０または１１に記載のオートホワイトバランス装置において、
前記所定の光源は、色差平面上で定義された各光源領域のなかで重複する領域に含まれる光源であることを特徴とするオートホワイトバランス装置。
【請求項１３】
請求項１２に記載のオートホワイトバランス装置において、
前記重複する領域に含まれる光源は、蛍光灯とタングステン光であることを特徴とするオートホワイトバランス装置。
【請求項１４】
撮像された画像に対してホワイトバランス調整を行うホワイトバランス調整方法において、
入力された画像を複数の親ブロックに分割する親ブロック分割ステップと、
各親ブロックをさらに複数の子ブロックに分割する子ブロック分割ステップと、
親ブロック内の各色値に基づき、親ブロックを代表する輝度及び色差を含む代表値を計算する親代表値計算ステップと、
子ブロック内の各色値に基づき、子ブロックを代表する輝度及び色差を含む代表値を計算する子代表値計算ステップと、
親代表色差と、その親ブロックに含まれる各子ブロックの子代表色差との比較に基づき、その親ブロックに含まれる子ブロック群の中から、所望の子ブロックをいくつか選択する子ブロック選択ステップと、
選択された各子ブロックの子代表値に基づいて、親ブロックの代表値を再計算する親代表値再計算ステップと、
再計算された各親ブロックの代表値に基づいて、前記画像に対してホワイトバランス調整を行うホワイトバランス調整ステップと、
を含むことを特徴とするホワイトバランス調整方法。
【請求項１５】
請求項１４に記載のホワイトバランス調整方法は、さらに、
想定する光源についてそれぞれ、親ブロックごとに各光源下での白色物体の色差と各親ブロックの代表色差との色差平面上での距離を求めて、これら各距離に基づき前記各光源が前記各親ブロックのシーンを照明している信頼度を推定するブロック信頼度推定ステップと、
前記子ブロック選択ステップにおいて選択された子ブロックの数に基づいて、前記親ブロックの信頼度を修正する信頼度修正ステップと、
を含み、
前記ホワイトバランス調整ステップでは、
再計算された各親ブロックの代表値及び修正された各親ブロックの信頼度に基づいて、前記画像に対してホワイトバランス調整を行うことを特徴とするホワイトバランス調整方法。
【請求項１６】
請求項１４又は１５に記載のホワイトバランス調整方法は、さらに、
前記画像の被写体輝度に基づいて、前記画像を子ブロックに分割するか否かを決定する子ブロック分割決定ステップを含み、
子ブロックに分割しないと決定された場合、前記親代表値計算ステップにおいて計算された各親ブロックの代表値に基づいて、前記画像に対してホワイトバランス調整を行うことを特徴とするホワイトバランス調整方法。
【発明の詳細な説明】
【技術分野】
【０００１】
本発明は、電子スチルカメラやビデオカメラなどに用いられるオートホワイトバランス装置に関する。
【背景技術】
【０００２】
ビデオカメラやデジタルスチルカメラでは、白い被写体を白く再現するために、オートホワイトバランス調整が行われている。従来のオートホワイトバランス方式としては、画像全体の平均が無彩色となるように各画素の信号のＲＧＢ成分（赤、緑、青の三原色成分）のバランスを調整する方式がよく知られている。しかしながらこの方式では、有彩色が画像の大部分の領域を占めている場合、誤ったホワイトバランス調整を行うことになりやすいという欠点があった。
【０００３】
このような誤ったホワイトバランス調整はカラーフェイリアと呼ばれる。このカラーフェイリアを軽減するオートホワイトバランス調整方式として、特許文献１に示される技術が知られている。この技術では、画像を複数のブロックに分割し、各ブロックのＲＧＢの平均値を計算し、その平均値があらかじめ定めた範囲に属しているブロックのみを抽出する。そして、抽出したブロック群のＲＧＢの平均値が無彩色になるように、ＲＧＢ各成分の調整を行う。
【０００４】
また、カラーフェイリアを軽減する別のオートホワイトバランス方式として、特許文献２に示されるものがある。この方式では、ホワイトバランス調整信号のとりうる値の範囲を制限し、過度のホワイトバランス調整が行われることを避けている。
【０００５】
ところが、これらの方式は、被写体を照明する光源が限定されている場合には効果が得られたが、想定外の光源で照明される場合や複数種類の光源により同時照明される場合などには十分なホワイトバランス調整を行うことができなかった。
【０００６】
そこで、本出願人は、特許文献３にて、改良されたオートホワイトバランス調整装置を提案した。この装置では、画像を複数のブロックに分割し、蛍光灯下で白い対象物を撮影したと判定されるブロック群、太陽光又はタングステン光下で白い対象物を撮影したと判定されるブロック群、画像中で最も明るいブロックに近い色を持つブロック群、をそれぞれ抽出する。そして、それらブロック群についてＲＧＢ各成分の平均値を求め、それらをあらかじめ定めた規則に従って混合した値をホワイトバランス調整信号として用いる。この装置では、画像中で最も明るいブロックに近似した色のブロック群のＲＧＢの平均値をホワイトバランス信号に反映させることにより、想定外の光源下や複数種類の光源下でも、適切なホワイトバランス調整を行うことができる。
【０００７】
ただ、特許文献３に記載の装置では、色のみに基づき上記各ブロック群を抽出していたため、各ブロック群の平均値を求める際に暗いブロックの値も用いられていた。画像として現れる色には、物体自体の色と物体を照明する光源の色の双方の影響がある。ここで、暗いブロックは光源の色を反映していない可能性が高いので、暗いブロックの情報をオートホワイトバランスの調整信号に反映させることは、誤差の要因となり兼ねない。
【０００８】
そこで、本出願人は、特許文献４にて、さらに改良されたオートホワイトバランス調整装置を提案した。この装置では、画像を分割して得られたブロックごとに求めたＲＧＢ各成分の平均値をブロックの代表値として、その代表値に基づき、各ブロックの中から最高輝度のブロックを求め、その最高輝度ブロックの輝度に基づき、輝度閾値を求める。そして、全ブロックのうちこの輝度閾値より高い輝度を持つブロックの代表値に基づいて、ホワイトバランス調整を行う。
【０００９】
【特許文献１】特開平５−２９２５３３号公報
【特許文献２】特開平５−７３６９号公報
【特許文献３】特開平８−２８９３１４号公報
【特許文献４】特開２０００−９２５０９号公報
【発明の開示】
【発明が解決しようとする課題】
【００１０】
上記の方式では、各ブロックのＲＧＢ各成分の平均値を単純にブロックの代表値として定め、ホワイトバランス調整を行っている。したがって、例えば、各ブロック内に有彩色のものが存在するときや、ブロック内のＲＧＢの値が一様でない場合、これらの色が混ざり各ブロックの平均値が各ブロックを照らしている光源の色を反映しなくなり、入力された画像に対して適切にホワイトバランスの調整が行えない場合がある。
【００１１】
そこで、本発明は、各ブロック内に有彩色のものが存在するときや、ブロック内のＲＧＢの値が一様でない場合であっても、安定したホワイトバランス調整を行うことができるオートホワイトバランス装置を提供することを目的とする。
【課題を解決するための手段】
【００１２】
本発明に係るオートホワイトバランス装置は、撮像された画像に対してホワイトバランス調整を行うオートホワイトバランス装置において、入力された画像を複数のブロックに分割するブロック分割手段と、分割したブロックごとにブロック内の各色値に基づき、ブロックを代表する輝度及び色差を含む代表値を計算する代表値計算手段と、各ブロックの代表値に基づいて、前記画像に対してホワイトバランス調整を行うホワイトバランス調整手段と、を備え、前記ブロック分割手段は、入力された画像を複数の親ブロックに分割する親ブロック分割手段と、各親ブロックをさらに複数の子ブロックに分割する子ブロック分割手段と、を含み、前記代表値計算手段は、親ブロック内の各色値に基づき、親ブロックを代表する輝度及び色差を含む代表値を計算する親代表値計算手段と、子ブロック内の各色値に基づき、子ブロックを代表する輝度及び色差を含む代表値を計算する子代表値計算手段と、親代表色差と、その親ブロックに含まれる各子ブロックの子代表色差との比較に基づき、その親ブロックに含まれる子ブロック群の中から、所望の子ブロックをいくつか選択する子ブロック選択手段と、選択された各子ブロックの代表値に基づいて、その親ブロックの代表値を再計算する親代表値再計算手段と、を含み、前記ホワイトバランス調整手段は、再計算された各親ブロックの代表値に基づいて、前記画像に対してホワイトバランス調整を行うことを特徴とする。
【００１３】
本発明によれば、子ブロック分割手段が、親ブロックを子ブロックに分割して、子代表値計算手段が、子ブロックごとに代表値を計算した後、子ブロック選択手段が、親ブロックの代表色差と、その親ブロックに含まれる各子ブロックの代表色差とを比較することで、所定の条件を満たす子ブロックを選択し、親代表値再計算手段が、選択された子ブロックのみを用いて、親ブロックの代表値を再計算する。これにより、たとえ各親ブロック内に有彩色のものが存在するときや、親ブロック内のＲＧＢの値が一様でない場合であっても、安定したホワイトバランス調整を行うことができる。
【００１４】
本発明に係るオートホワイトバランス装置の１つの態様によれば、オートホワイトバランス装置は、さらに、想定する光源についてそれぞれ、親ブロックごとに、各光源下での白色物体の色差と各親ブロックの代表色差との色差平面上での距離を求めて、これら各距離に基づき前記各光源が前記各親ブロックのシーンを照明している信頼度を推定するブロック信頼度推定手段と、前記子ブロック選択手段で選択された子ブロックの数に基づいて、前記親ブロックの信頼度を修正する信頼度修正手段と、を備え、前記ホワイトバランス調整手段は、再計算された各親ブロックの代表値及び修正された各親ブロックの信頼度に基づいて、前記画像に対してホワイトバランス調整を行うことを特徴とする。
【００１５】
本発明によれば、信頼度修正手段が、子ブロック選択手段で選択された子ブロックの数に基づいて、親ブロックの信頼度を修正する。これにより、親ブロックと子ブロックとを区別せずに、単純に子ブロックのみを生成して、子ブロックごとに代表値を求めて、各子ブロックの代表値に基づいて、ホワイトバランス調整を行う場合よりも安定したホワイトバランス調整を行うことができる。
【００１６】
本発明に係るオートホワイトバランス装置の１つの態様によれば、オートホワイトバランス装置は、さらに、前記画像の被写体輝度に基づいて、前記画像を子ブロックに分割するか否かを決定する子ブロック分割決定手段を備え、子ブロックに分割しないと決定された場合、前記ホワイトバランス調整手段は、前記親代表値計算手段で計算された各親ブロックの代表値に基づいて、前記画像に対してホワイトバランス調整を行うことを特徴とする。
【００１７】
本発明によれば、子ブロック分割決定手段が、画像の被写体輝度に基づいて、前記画像を子ブロックに分割すると決定した場合に、各親ブロックをさらに子ブロックに分割して、親ブロックの代表値を再計算する。これにより、画像の被写体輝度に応じて、必要な場合のみ子ブロックの分割処理が行われる。よって、すべての撮影シーンについて、子ブロックを生成して、親ブロックの代表値の再計算を行う処理を実行するよりも、より安定したホワイトバランス調整を実現することができる。
【００１８】
本発明に係るオートホワイトバランス装置の１つの態様によれば、前記子ブロック分割決定手段は、前記画像の被写体輝度に基づいて、前記画像を子ブロックに分割すると決定した場合、さらに、前記画像を構成する全親ブロックの代表色差の平均に基づいて、前記画像の光源が所定の光源と推定されるか否かを判定し、所定の光源ではないと推定される場合のみ、前記画像を子ブロックに分割すると最終決定することを特徴とする。
【００１９】
本発明によれば、子ブロック分割決定手段は、画像を構成する全親ブロックの代表色差の平均に基づいて、前記画像の光源が所定の光源と推定されるか否かを判定し、所定の光源ではないと推定される場合のみ、前記画像を子ブロックに分割すると最終決定する。これにより、画像を子ブロックに分割して、親ブロックの代表値を再計算すると、逆に適切にホワイトバランスの調整を行うことができない所定の光源の場合には、子ブロックの生成を行わず、ホワイトバランス調整を行う。よって、より様々なシーンにおいて、安定したホワイトバランス調整を行うことができる。
【００２０】
本発明に係るオートホワイトバランス装置の１つの態様によれば、前記子ブロック分割決定手段は、前記画像の被写体輝度に基づいて、前記画像を子ブロックに分割すると決定した場合、さらに、前記画像を構成する各親ブロックの代表色差に基づいて、親ブロックごとにその親ブロックの光源が所定の光源と推定されるか否かを判定し、所定の光源ではないと推定される親ブロックのみ、子ブロックに分割すると最終決定することを特徴とする。
【００２１】
本発明によれば、子ブロック分割決定手段は、前記画像を構成する各親ブロックの代表色差に基づいて、親ブロックごとにその親ブロックの光源が所定の光源と推定されるか否かを判定し、所定の光源ではないと推定される親ブロックのみ、子ブロックに分割すると最終決定する。これにより、すべての親ブロックについて子ブロックを生成して親ブロックの代表値を再計算するよりも、効率的に各親ブロックの代表値を求めることができる。
【発明を実施するための最良の形態】
【００２２】
［第１の実施の形態］
以下、本発明の第１の実施の形態（以下、実施形態１とする）について、図面を用いて説明する。
【００２３】
図１は、実施形態１のオートホワイトバランス装置１０の構成を示す機能ブロック図である。このオートホワイトバランス装置１０は、典型的には電子スチルカメラやビデオカメラなどのカメラ装置に組み込まれる。
【００２４】
図１において、ブロック分割回路１１０は、カメラ装置の撮像装置２０から入力された画像を複数のブロックに分割する。さらに、代表値計算回路１２０は、ブロックごとにそのブロック内の各色値（Ｒ，Ｇ，Ｂ）の平均値を算出し、その平均値に基づいて、そのブロックを代表する値（以下、代表値とする）として、輝度（Ｌ）及び色差（ｕ，ｖ）を算出する。そして、ホワイトバランス評価回路１３０は、算出した各ブロックの代表値などに基づいて入力画像の光源の色を推定する。ホワイトバランスゲイン計算回路１４０は、その推定結果に基づいて、ホワイトバランス調整のためのゲインを計算し、ホワイトバランス調整回路１５０が、そのゲインに基づいて入力された画像に対してホワイトバランスの調整を行う。
【００２５】
実施形態１に係るオートホワイトバランス装置１０は、入力された画像を複数の親ブロックに分割し、さらに各親ブロックを複数の子ブロックにそれぞれ分割する。そして、親ブロックの代表値を計算し、さらに子ブロックごとに代表値を計算した後、親ブロックの代表色差と、その親ブロックに含まれる各子ブロックの代表色差とを比較することで、所定の条件を満たす子ブロックを選択し、選択された子ブロックのみを用いて、親ブロックの代表値を再計算する。その後、再計算された親ブロックの代表値や被写体輝度に基づいて、入力された画像に対してホワイトバランスの調整を行う。実施形態１では、このように再計算された親ブロックの代表値を用いてホワイトバランス調整を行うことで、より安定したホワイトバランス調整を行う。
【００２６】
以下、図２に示すオートホワイトバランス装置１０の構成をより詳細に示した機能ブロック図を用いて、本装置の各部についてさらに説明する。
【００２７】
≪ブロック分割回路≫
ブロック分割回路１１０は、撮像装置２０から出力される画像データを所定の画素単位で構成されるブロック単位に分割する回路であり、親ブロック分割回路１１１と子ブロック分割回路１１２とを含む。
【００２８】
親ブロック分割回路１１１は、撮像装置２０から入力された画像データを、Ｍ×Ｎ個のブロックに分割する。図３は、親ブロックごとに分割した画像の一例を示す。この例では、１フレームの画像２００は、親ブロック分割回路１１１により、１２×８の親ブロックに分割される。
【００２９】
子ブロック分割回路１１２は、親ブロックごとに分割された画像をさらにＬ×Ｌ個の子ブロックに分割する。図４は、親ブロックをさらに子ブロックに分割した画像の一例を示し、この例では、親ブロックは、子ブロック分割回路１１２により、３×３の子ブロックに分割される。なお、図３及び図４に示したブロック分割は一例であり、これ以外の分割方法を用いても構わない。
【００３０】
親ブロック分割回路１１１で分割された各親ブロックの画像データ及び子ブロック分割回路１１２で分割された各子ブロックの画像データは、代表値計算回路１２０にそれぞれ入力される。
【００３１】
≪代表値計算回路≫
代表値計算回路１２０は、ブロックごとにブロックの平均的な色の特性を示す、輝度及び色差を計算する。以下、この輝度及び色差をそれぞれ、代表輝度及び代表色差と呼び、さらに代表輝度及び代表色差を含めて代表値と呼ぶ。
【００３２】
代表値計算回路１２０において、親ブロック代表値計算回路１２１は、親ブロックごとに代表値を計算し、子ブロック代表値計算回路１２２は、子ブロックごとに代表値を計算する。子ブロック選択回路１２３は、親ブロックの代表色差と各子ブロックの代表色差とをそれぞれ比較することで、子ブロックの選定を行う。親ブロック代表値再計算回路１２４は、子ブロック選択回路１２３で選択された各子ブロックの代表値を用いて、再度親ブロックの代表値を計算する。
【００３３】
ここで、親ブロック代表値計算回路１２１及び子ブロック代表値計算回路１２２における、ブロック単位の代表輝度及び代表色差の計算方法について説明する。
【００３４】
各計算回路１２１，１２２は、まず１ブロック（親ブロックもしくは子ブロック）の全画素の画素値の平均値を求める。つまり、撮像装置２０の画像信号が例えばＲＧＢ（赤、緑、青）で表現されている場合、各計算回路１２１，１２２は、各画素のＲＧＢ値をＲＧＢの各成分について全画素にわたり平均値を求める。次に、各計算回路１２１，１２２は、その平均値を、輝度（Ｌ）及び２つの色差成分（ｕ，ｖ）の組（Ｌ，ｕ，ｖ）について線形変換を行う。この変換式は次式で表される。
【数１】
2006211440.tif 000003
なお、変換に用いる変換行列は、撮像装置２０の入力色特性に依存するものであり、式（１）に示したものはその一例にすぎない。また、画像信号がＲＧＢ以外の表色系で表されている場合は、その表色系に応じた変換行列を用いて輝度及び色差成分を求めればよい。また、ブロックに含まれる全画素のＲＧＢの平均値の代わりに分散値を求めて、その分散値を用いて式（１）に基づき線形変換し、各ブロックの代表値を求めてもよい。
【００３５】
さらに、上記では、親ブロック代表値計算回路１２１は、親ブロックを構成する全画素のＲＧＢ値の合計を単純に平均している。しかし、次のように代表値を求めてもよい。すなわち、まず、親ブロックに含まれる子ブロックごとにすべて平均値もしくは分散値を求める。そして、求められた各子ブロックの平均値や分散値を合計して、その合計値を子ブロックの個数で除算することで平均を求め、この平均値を親ブロックの代表値とする。
【００３６】
＜子ブロック選択回路＞
子ブロック選択回路１２３は、親ブロックの代表色差成分と、各子ブロックの代表色差成分との色差平面上での距離を求めて、その距離が所定の閾値Ｓ以下かどうかを判定する。判定の結果、子ブロック選択回路１２３は、親ブロックに含まれる全子ブロックの中から距離がその閾値Ｓ以下の子ブロックを選択する。つまり、子ブロック選択回路１２３は、親ブロックと色差特性が似ている子ブロックを選択する。この閾値Ｓは、想定した光源によらず１つの値を用いてもよいが、本実施形態１では、この閾値Ｓをあらかじめ想定した光源の種類に応じて個別に定めておく。そして、子ブロック選択回路１２３は、親ブロックごとに光源を推定して、推定した光源に対応する閾値Ｓに基づいて、子ブロックの選定を行う。なお、子ブロック選択回路１２３で推定される光源は、本実施形態１では、昼光、タングステン光（例えば白熱灯など）、蛍光灯光を想定する。これらは、一般ユーザの写真撮影やビデオ撮影における照明源として一般的なものである。
【００３７】
以下、子ブロック選択回路１２３における閾値設定の手順について、図５及び図６を用いて説明する。図５は、子ブロック選択回路１２３における閾値設定の手順を示すフローチャートである。また、図６は、子ブロック選択回路１２３が、親ブロックの光源推定を行う際に用いる色差平面の一例を示す図であり、色差平面上に昼光領域、蛍光灯領域、タングステン光領域が定義されている。子ブロック選択回路１２３は、各親ブロックの代表色差成分（ｕ０，ｖ０）がこの色差平面上でどの領域に属するかを照合することで、親ブロックごとに光源の推定を行う。なお、上記各領域は、あらかじめ実験等を行うことで定めておけばよい。
【００３８】
図５において、子ブロック選択回路１２３は、まず、ある親ブロックに対する閾値Ｓとして昼光の場合に定められた閾値を設定する（Ｓ１０１）。次いで、子ブロック選択回路１２３は、親ブロックの代表色差成分（ｕ０，ｖ０）が色差平面上において蛍光灯領域内に含まれているか否かを判定する（Ｓ１０２）。判定の結果、蛍光灯領域内に含まれている場合には、その親ブロックの閾値Ｓとして蛍光灯の閾値を設定する（Ｓ１０３）。続いて、Ｓ１０２での判定結果に拘わらず、子ブロック選択回路１２３は、親ブロックの代表色差成分（ｕ０，ｖ０）が色差平面上においてタングステン光領域内に含まれているか否かを判定する（Ｓ１０４）。判定の結果、タングステン光領域内に含まれている場合には、その親ブロックの閾値Ｓとしてタングステン光の閾値を設定する（Ｓ１０５）。以上の手順を親ブロックごとに実行することで、子ブロック選択回路１２３は、親ブロックごとに子ブロックの選定の際に基準となる閾値Ｓを設定する。なお、閾値の大きさは、例えば、蛍光灯、タングステン光、昼光の順に大きな値を設定する。ここで、蛍光灯の閾値を各光源の中で最も小さく設定する理由は、下記に示す子ブロックの選定処理において、光源が蛍光灯の場合にはより厳密に子ブロックの選定を行うためである。これは、蛍光灯の色特性が緑色の物体の色特性と似ており、全体に緑色の物体が存在する森林等のシーンを撮影する場合などに、光源の混同をする可能性が高いからである。
【００３９】
さらに、子ブロック選択回路１２３は、各親ブロックの閾値Ｓが設定された後、親ブロックごとに子ブロックの選定を行う。そこで、以下、図７に示すフローチャートを用いて、子ブロックの選定手順について説明する。
【００４０】
子ブロック選択回路１２３は、まず変数Ｘを初期値の「１」に設定し（Ｓ２０１）、親ブロックの代表色差成分（ｕ０，ｖ０）とその親ブロックに含まれるＸ番目の子ブロックの代表色差成分（ｕＸ，ｖＸ）との距離ｓを求め、その距離がその親ブロックに対して設定された閾値Ｓより大きいか否かを判定する（Ｓ２０２）。この判定は、例えば、下記に示す式に基づいて行う。
【数２】
2006211440.tif 000004
Ｓ２０２での判定の結果、距離ｓが閾値Ｓより大きい場合には、続いて、Ｘ番目の子ブロックの代表色差成分（ｕＸ，ｖＸ）が、色差平面上において昼光領域内に存在するか否かを判定する（Ｓ２０３）。判定の結果、昼光領域に存在しない場合は、Ｘ番目の子ブロックの光源は昼光ではない推定して、Ｘ番目の子ブロックを、親ブロックの代表値の計算には使用しない除外候補として決定し（Ｓ２０４）、変数Ｘに１を加算する（Ｓ２０５）。そして、加算した変数Ｘが、親ブロックに含まれる子ブロックの合計個数より小さいか否かを判定して、変数Ｘが子ブロックの合計個数に達していなければ、次の子ブロックに対して、Ｓ２０２以降の処理を実行する。また、Ｓ２０３の判定の結果、昼光領域に存在する場合は、たとえ距離ｓが閾値Ｓより大きい場合でも、その子ブロックを除外候補とせずに、Ｓ２０５以降の処理を実行する。このように、子ブロックの光源が昼光と推定される場合に除外候補としない理由は、以下の通りである。
【００４１】
すなわち、従来のオートホワイトバランス調整では、例えば、比較的暗く緑色の物体を多く含む昼光シーン（例えば、森林のシーン）において、緑色の色差成分と蛍光灯の色差成分とが近い値を持つことが起因して、そのようなシーンの光源を昼光ではなく蛍光灯として推定してしまい、誤ったホワイトバランス調整を実行してしまう場合があった。本実施実施形態では、そのような誤ったホワイトバランス調整を低減することを１つの目的といる。そこで、昼光として推定される色差成分を含む子ブロックはできるだけ光源判定に採用して、オートホワイトバランス装置１０が、そのようなシーンの光源を昼光と判断しやすくするために、実施形態１では、子ブロック選択回路１２３は、代表色差成分が昼光領域に存在する場合、たとえ距離ｓが閾値Ｓより大きい場合でも、その子ブロックを除外候補とはしない。
【００４２】
以上、子ブロック選択回路１２３は、各親ブロックに対して、子ブロックの選定処理を行い、除外候補の子ブロックを決定し、その情報が親ブロック代表値再計算回路１２４に提供される。また、子ブロック選択回路１２３は、各親ブロックの除外候補の子ブロックの個数をカウントし、そのカウント数を、下記に示す除外係数設定回路１３３に提供する。除外係数設定回路１３３は、そのカウント数に基づいて除外係数Ｃｄを求める。信頼度修正回路１３５は、その除外係数Ｃｄを用いて各親ブロックの信頼度の修正を行う。この信頼度の修正については後ほど詳しく説明する。
【００４３】
＜親ブロック代表値再計算回路＞
親ブロック代表値再計算回路１２４は、除外候補の子ブロックを除いて、改めて、各親ブロックの代表値を計算する。つまり、除外候補とならなかった子ブロックの代表値をそれぞれ合計し、その合計値を除外候補とならなかった子ブロックの合計数で除算することで平均値を求め、その値を親ブロックの新たな代表値とする。
【００４４】
このように、親ブロック代表値再計算回路１２４が、除外候補の子ブロックを除いて、改めて、各親ブロックの代表値を計算することで得られる効果を、図８に示すシーンについて説明する。
【００４５】
図８は、シーン全体に木々等の緑色の物体が存在する画像データの一例を示す。このようなシーンについて、親ブロック内の全画素の輝度及び色差の平均値に基づいて、各親ブロックの代表値を求めて、その代表値に基づいて光源推定を行うと、図９に示すような判定結果を得る場合がある。ここで、「蛍光灯」は、光源を蛍光灯と判定したブロックであり、「Ｄａｒｋ」は、暗いため光源として扱わないブロックである。この光源推定結果に基づいて、ホワイトバランス調整を行うと、蛍光灯の緑色を補正しようとホワイトバランスが行われるため、画像全体が強く紫色方向に補正されてしまう。このような光源推定の誤りは、緑色の物体の色差が、昼光の場合の色差と蛍光灯の場合の色差とで近い値を持つという色特性から生じる現象であり、光源を誤って蛍光灯と判定してしまう色差成分をもつ画素も含めて、ブロック内の全画素の輝度及び色差を平均化することが起因している。
【００４６】
一方、実施形態１では、子ブロック選択回路１２３において子ブロックの選定が行われることで、ブロック内に存在する画素群のうち、蛍光灯の色差成分をもつ画素が除外されて、親ブロックの代表値が計算されるため、図８に示すシーンについて各ブロックの光源推定を行うと、図１０に示すように、「昼光」と判定されるブロックが複数存在する判定結果を得る。よって、光源を誤って蛍光灯と判定されるブロックの数が減少し、蛍光灯の緑色を補正しようとホワイトバランスが行われ、画像全体が強く紫色方向に補正されてしまうことを防ぐことができる。
【００４７】
以上のように、親ブロック代表値再計算回路１２４で再計算されて得られた各親ブロックの代表値は、ホワイトバランス評価回路１３０に入力されて、光源推定が行われる。
【００４８】
≪ホワイトバランス評価回路≫
続いて、ホワイトバランス評価回路１３０に含まれる各回路について説明する。
【００４９】
＜分散係数計算回路＞
分散係数計算回路１３１は、代表値計算回路１２０から各親ブロックの画像データを受け取り、それらの親ブロックの分散係数Ｃｖを求める。分散係数Ｃｖは、後述するブロック信頼度の補正のための係数であり、当該ブロックの画素値の分散に応じて決まる。親ブロックｉの分散係数をＣｖiと表す。
【００５０】
分散係数計算回路１３１は、まず親ブロックの画素群の中からあらかじめ定めた方法で画素をサンプリングし、それらサンプリングした画素群の画素値の分散を求める。この場合、分散係数計算回路１３１は、例えば、Ｒ，Ｇ，Ｂの各成分についてサンプリングした画素群における分散を求め、これら各成分の分散を例えば平均するなどして全体的な分散値を求める。そして、分散係数計算回路１３１は、このようにして求めた分散値に基づき分散係数を求める。分散係数Ｃｖは、あらかじめ用意した関数を用いて求める。図１１は、この関数の一例のグラフである。図１１に示すように、分散係数計算回路１３１では、分散値が大きくなるほど、それに対応する分散係数が小さくなるような関数を用いる。この関数は、例えば分散係数計算回路１３１内にあらかじめ登録されている。
【００５１】
＜飽和係数計算回路＞
飽和係数計算回路１３２は、代表値計算回路１２０から各親ブロックの画像データを受け取り、それらの親ブロックの飽和係数Ｃｓを求める。飽和係数Ｃｓは、後述するブロック信頼度の補正のための係数であり、当該ブロックにおける飽和画素の数に応じて決まる。飽和画素とは、画素値の１以上の成分（例えばＲ、Ｇ、またはＢ）が、その成分の上限値（例えば８ビット表現ならば２５５）に達している画素をいう。親ブロックｉの飽和係数をＣｓiと表す。
【００５２】
飽和係数計算回路１３２は、まずブロックの中の飽和画素の数をカウントし、このカウント結果から飽和係数を求める。飽和係数Ｃｓは、あらかじめ用意した関数を用いて求める。図１２は、この関数の一例のグラフである。図１２に示すように、飽和係数計算回路１３２では、飽和画素数が大きくなるほど、それに対応する飽和係数が小さくなるような関数を用いる。ここで用いる関数は、例えば飽和係数計算回路１３２内にあらかじめ登録されている。
【００５３】
＜除外係数設定回路＞
除外係数設定回路１３３は、親ブロックごとに除外係数Ｃｄを求める。除外係数Ｃｄは、後述するブロック信頼度の補正のための係数であり、子ブロック選択回路１２３において選択されなかった子ブロックの個数Ｅに基づいて、親ブロックごとに定められる係数である。除外係数Ｃｄは、例えば、下記に示す条件に基づいて定められる。
Ｅｉ＞閾値Ａならば、Ｃｄｉ＝１／４
Ｅｉ＞閾値Ｂならば、Ｃｄｉ＝０
【００５４】
ここで、閾値Ａ＜閾値Ｂ、Ｅｉは親ブロックｉにおいて除外候補とされた子ブロックの個数、Ｃｄｉは親ブロックｉにおける除外係数である。
【００５５】
よって、例えば、閾値Ａ＝２、閾値Ｂ＝４の場合、親ブロックにおいて除外候補とされた子ブロックの個数が「１」であれば、その親ブロックの除外係数Ｃｄは「１／４」となり、その個数が「５」であれば、除外係数Ｃｄは「０」となる。
【００５６】
上記の通り、分散係数計算回路１３１、飽和係数計算回路１３２、除外係数設定回路１３３でそれぞれ求められた分散係数Ｃｖ、飽和係数Ｃｓ、除外係数Ｃｄは、信頼度修正回路１３５に入力される。
【００５７】
＜ブロック信頼度計算回路＞
ブロック信頼度計算回路１３４は、各親ブロックに対してあらかじめ想定した各光源について、その光源がそのブロックを照明している信頼度（ブロック信頼度と呼ぶ）を求める。あるブロックについてのブロック信頼度は、各想定光源について求められる。以下、この処理を詳しく説明する。
【００５８】
実施形態１では、光源として、太陽光、タングステン光（例えば白熱灯など）、蛍光灯光を想定する。更に、実施形態１では、太陽光を昼光（昼間の日なたの光）と日陰光（昼間の日陰の光）とに分けて取り扱う。日なたと日陰では、同じ太陽光の影響下であっても、前者は色温度が比較的低く（赤っぽい）、後者は色温度が比較的高い（青っぽい）という違いがある。したがって、両者を一括して取り扱ったのでは、日なた、日陰とも中途半端なホワイトバランスになるおそれがあり、更に、日なたの部分と日陰の部分が混在するシーンで柔軟なホワイトバランスのコントロールが困難になる。そこで実施形態１では、昼光と日陰光とを別の光源として区別して取り扱うことにより、そのような問題を解決している。結局、実施形態１では、昼光、日陰光、タングステン光、蛍光灯光の４種類の光源を想定することになる。
【００５９】
ブロック信頼度計算回路１３４は、各想定光源について、その光源下での白色物体の色の色差成分（以下、その光源の典型色差と呼ぶ）と、親ブロック代表値再計算回路１２４が計算して得られた親ブロックの代表値の色差成分（ｕ，ｖ）との距離ｄを求める。ここで、光源の識別番号をｊ（ｊ＝１，２，…，ｍ：ｍは想定光源の個数であり、実施形態１ではｍ＝４である）とし、識別番号ｊの光源を光源ｊと表現する。ここでは、便宜上光源１を昼光、光源２を日陰光、光源３をタングステン光、光源４を蛍光灯光とする。親ブロックｉの代表値の色差成分（ｕi，ｖi）と光源ｊの典型色差（Ｕj，Ｖj）との距離Ｄijは、例えば次式に従って求める。
Ｄij=ｄ11*(ｕi−Ｕj)2+ｄ12*(ｕi−Ｕj)*(ｖi−Ｖj)+ｄ22*(ｖi−Ｖj)2・・・（３）
【００６０】
ここで、ｄ11、ｄ12、ｄ22はそれぞれ所定の定数である。各光源について、その特性に合わせてこれら定数ｄ11、ｄ12、ｄ22の組を選択することにより、光源特性にあった適切な距離を定義できる。この場合、それら定数の値は、各光源について、実験などであらかじめ求め、ブロック信頼度計算回路１３４又はカメラに設けられた記憶装置（ＲＯＭなど。図示省略）に記憶しておく。また、距離の定義には、上記式（３）以外のものを用いることも可能である。この場合、各光源について、その特性に応じた異なる距離の定義式を用いることも可能である。以上の距離ｄの計算が、１つの親ブロックｉに対し、全想定光源ｊについて行われる。
【００６１】
次にブロック信頼度計算回路１３４は、求めた距離Ｄijから、親ブロックｉが光源ｊにより照明されている信頼度Ｒｄijを求める。この信頼度Ｒｄijは、色差の観点から見た信頼度である。信頼度Ｒｄijは、あらかじめ定めた関数ｆを用いて距離Ｄijから求める。光源の種類によって、距離ｄと信頼度Ｒｄとの関係が異なるので、この関数ｆは各光源ｊについて個別に用意することが好適である。光源ｊについての信頼度関数をｆjと表すと、親ブロックｉが光源ｊにより照明されている信頼度Ｒｄijは次式により求められる。
Ｒｄij＝ｆj（Ｄij）・・・（４）
【００６２】
図１３に信頼度関数ｆjの一例を示す。図１３に示すように、関数ｆjは、距離Ｄijが大きくなるに従って値が減少する関数である。この関数を距離に関して連続的に変化する関数とすることにより、二値的な弁別結果をベースにしたことによる従来技術の問題を回避できる。各光源の信頼度関数ｆjは、あらかじめ実験等により求め、装置内に記憶しておく。
【００６３】
また、ブロック信頼度計算回路１３４は、このようにして求めた色差の観点からの信頼度Ｒｄに対し、輝度の観点からの修正を加える。これは、蛍光灯下での白い物体の明るさの分布、直射日光（昼光）下での白い物体の明るさの分布、日陰での白い物体の明るさの分布、などがそれぞれ異なるためである。したがって、親ブロックｉの輝度（明るさ）Ｌiに応じて、親ブロックｉが光源ｊにより照明されている可能性を求めることができる。ここでは、この可能性を係数として、前に求めた色差に基づく信頼度Ｒｄを修正する。
【００６４】
このため、ブロック信頼度計算回路１３４は、親ブロックｉごとに、輝度の観点から見てその親ブロックｉが光源ｊで照明されている可能性を示す輝度係数Ｃｌijを求める。輝度係数Ｃｌijは、光源ｊの種類に応じて個別にあらかじめ定められた関数ｇjに、親ブロックｉの輝度Ｌiを適用することにより求められる。すなわち、
Ｃｌij＝ｇj（Ｌi）・・・（５）
【００６５】
図１４に関数ｇjの一例を示す。関数ｇjは、輝度Ｌiの関数であり、この例は輝度が大きくなるほど係数Ｃｌは大きくなるものを示している。これは明るい物ほど光源の影響を受けている可能性が高いことを考慮したものである。この関数を輝度に関して連続的に変化する関数とすることにより、ホワイトバランスに対するブロック輝度Ｌiの影響を滑らかなものとすることができる。これは、ホワイトバランスの挙動の安定化に役立つ。なお、この輝度係数の特性は、光源ｊの種類によって異なる。各光源の輝度係数関数ｇjは、あらかじめ実験等により求め、装置内に記憶しておく。
【００６６】
そして、ブロック信頼度計算回路１３４は、色差に基づく信頼度Ｒｄに輝度係数Ｃｌを乗じることにより、信頼度Ｒijを求める。信頼度Ｒijは、色差及び輝度の両方の観点から見て、親ブロックｉが光源ｊで照明されている可能性を示す値である。すなわち、信頼度Ｒijは、
Ｒij＝Ｃｌij*Ｒｄij・・・（６）
により求められる。
【００６７】
ブロック信頼度計算回路１３４は、以上の処理を全ての親ブロックｉに対して、全ての想定光源ｊについて実行する。求められた信頼度Ｒijの情報は、信頼度修正回路１３５に入力される。
【００６８】
＜信頼度修正回路＞
信頼度修正回路１３５は、親ブロックｉに対する光源ｊの信頼度Ｒijを、当該親ブロックｉについての前述の分散係数Ｃｖi、飽和係数Ｃｓi、除外係数Ｃｄｉ、及び当該親ブロックｉの画像全体の中での位置によって決まる位置係数Ｃｐiとにより信頼度Ｒijを補正する。具体的には、これら係数を信頼度Ｒijにかけることにより、信頼度を修正する。修正された信頼度（修正信頼度と呼ぶ）Ｒｍijとすると、
Ｒｍij＝Ｃｖi*Ｃｌi*Ｃｄi*Ｃｐi*Ｒij・・・（７）
である。
【００６９】
ここで、位置係数Ｃｐiは、親ブロックｉが画像の中央に近いほど大きい値になるようにあらかじめ定めておく。これは、一般に、画像の中央に近いブロックほど画像の中での重要度が高いと考えられるからである。位置的に見て重要度の高いブロックに対し高い位置係数を与えることにより、重要度の高いブロックの色がホワイトバランス制御により強く反映されることになる。図１５は、位置係数の設定例を示す図である。この例では、画像中央部のブロック２１０−１には位置係数として１．０、画像周縁部のブロック２１０−２には位置係数として０．５が与えられている。これら位置係数は、装置内にあらかじめ記憶されている。
【００７０】
また、この修正処理では、分散係数Ｃｖi、飽和係数Ｃｓi、除外係数Ｃｄｉも考慮している。これには次のような意義がある。
【００７１】
まず、分散係数Ｃｖiは、前述のように、親ブロックｉ内での画素値の分散が大きくなるほどその値が小さくなるように定められている。したがって、親ブロックｉの分散が大きいほど分散係数Ｃｖiは小さくなり、この結果修正信頼度Ｒｍijの値も小さくなる。このような修正を行うのは、親ブロックｉの画素値の分散が大きいほど、その親ブロックの代表値（Ｌi，ｕi，ｖi）から求めた信頼度Ｒij自体の信頼性が低いと考えられるためである。分散が大きいほどその親ブロックの各画素値のばらつきが大きいので、その画素値から求めた代表値がその親ブロックの色の傾向（すなわち照明の傾向）を表している可能性が低いと考えられる。したがって、そのような信頼性の低い代表値から求めた信頼度Ｒijは、信頼性が低いと考えられるので、その信頼度Ｒijのホワイトバランスへの影響を小さくするために、分散係数Ｃｖiの値を小さくする。
【００７２】
また、飽和係数Ｃｓiは、前述のように、親ブロックｉ内での飽和画素の数が大きくなるほどその値が小さくなる。したがって、親ブロックｉ内の飽和画素数が多いほど飽和係数Ｃｓiは小さくなり、この結果信頼度Ｒijは小さい値に修正されることになる。このような修正を行うのは、親ブロックｉの飽和画素数が大きいほど、そのブロックの代表値（Ｌi，ｕi，ｖi）から求めた信頼度Ｒij自体の信頼性が低いと考えられるためである。飽和画素は、ＲＧＢ各成分の上限値を超える部分がカットされている可能性があるので、対象物の正しい色を表していないおそれがある。したがって、飽和画素が多いほど、親ブロックの代表値がその親ブロックの色の傾向（したがって照明の傾向）を表している可能性が低くなると考えられる。そのような信頼性の低い代表値から求めた信頼度Ｒijは、それ自体信頼性が低いと考えられるので、ここでは、その信頼度Ｒijのホワイトバランスへの影響を小さくするために、飽和係数Ｃｓiの値を小さくするのである。
【００７３】
さらに、除外係数Ｃｄｉは、上述のように、子ブロック選択回路１２３において除外候補と決定された子ブロックの数が少ないほどその値は大きくなる。したがって、除外候補の子ブロックが多いほどその親ブロックｉの除外係数Ｃｄｉは小さくなり、この結果修正信頼度Ｒｍijの値も小さくなる。このような修正を行うのは、除外候補となる子ブロックの数が多い親ブロックｉほど、親ブロックｉに含まれる各画素のＲＧＢ値にバラツキがあり、全画素の平均により求めた代表値では、対象物の正しい色を表していないおそれが高いからである。よって、除外候補の子ブロックが多いほど、親ブロックｉの代表値がそのブロックの色の傾向（したがって照明の傾向）を表している可能性が低くなると考えられる。そのような信頼性の低い代表値から求めた信頼度Ｒijは、それ自体信頼性が低いと考えられるので、ここでは、その信頼度Ｒijのホワイトバランスへの影響を小さくするために、除外係数Ｃｄiの値を小さくする。
【００７４】
信頼度修正回路１３５では、全ての親ブロックについて、各光源について信頼度の修正が実行される。求められた修正信頼度Ｒｍijは全体信頼度計算回路１３６及び光源寄与計算回路１３７に入力される。
【００７５】
＜全体信頼度計算回路＞
全体信頼度計算回路１３６は、光源ｊの画像全体への信頼度（全体信頼度と呼ぶ）Ｒｔjを計算する。全体信頼度計算回路１３６は、各親ブロックｉの修正信頼度Ｒｍijを画像中の全親ブロックについて総和することにより、全体信頼度Ｒｔjを求める。すなわち、
Ｒｔj＝ΣＲｍij（ただしΣはｉ＝１〜ｎについての総和）・・・（８）
である。
【００７６】
＜光源寄与計算回路＞
光源寄与計算回路１３７は、画像のシーン全体についての各光源ｊの信頼度、及び各光源ｊの画像全体への寄与成分の推定をする。光源ｊの光源寄与成分は、画像全体の色合いに対して各光源ｊが与えている影響のことであり、言い換えれば、その光源ｊがその画像のシーンを照明することで、その画像に現れると推定される色の傾向である。光源寄与成分は、輝度及び色差の組で表される。ここでは、画像全体に対する光源ｊの寄与成分を（Ｌｃj，ｕｃj，ｖｃj）と表す。
【００７７】
光源寄与計算回路１３７は、全ての親ブロックについて、各想定光源ｊに対する修正信頼度Ｒｍij、各親ブロックの代表値（Ｌi，ｕi，ｖi）、及び各光源の全体信頼度Ｒｔjに基づき、次式に従って光源寄与成分を推定する。
【数３】
2006211440.tif 000005
式（９）において、Σはｉ＝１〜ｎ（ｎは、総親ブロック数）についての総和を示す。この計算は、各親ブロックｉの輝度及び色差を、それぞれ各親ブロックｉの修正信頼度Ｒｍｉｊによって、総親ブロックにわたって加重平均する処理と等価である。
【００７８】
＜光源寄与修正回路＞
光源寄与修正回路１３８は、上記のとおり当該入力画像のシーン全体に対する各光源ｊの寄与成分が推定された推定値に対して修正を加える。この修正は大きく分けて２段階からなる。
【００７９】
第一段階では、各光源ｊの寄与成分を、各想定光源ｊに対してあらかじめ定められた標準色と加重平均する。光源ｊの標準色は、光源ｊの照明下でのシーンの標準的な色（すなわち輝度及び色差の組）であり、これはあらかじめその光源ｊで各種のシーンを撮影し、それら撮影画像の輝度、色差を集計することで求めておく。各光源ｊの標準色（Ｌｓj，ｕｓj，ｖｓj）は、装置内にあらかじめ記憶しておく。この第一段階の修正処理は、次式で表される。
Ｌｍj＝ｗｓj・Ｌｃj＋（１−ｗｓj）・Ｌｓj ｕｍj＝ｗｓj・ｕｃj＋（１−ｗｓj）・ｕｓj ｖｍj＝ｗｓj・ｖｃj＋（１−ｗｓj）・ｖｓj・・・（１０）
ここで（Ｌｍj，ｕｍj，ｖｍj）は寄与成分の修正結果であり、ｗｓj（ただし０≦ｗs≦１）はあらかじめ定めた重みである。この重みｗｓjは、各想定光源ｊについてあらかじめ実験等により求めておき、装置内に記憶しておく。
【００８０】
第一段階の修正は、光源寄与成分（Ｌｃj，ｕｃj，ｖｃj）に含まれる物体色の影響を低減するための修正である。画像に現れる色は、光源からの照明光の色（照明色）と物体それ自体の色（物体色）の両方から影響を受ける。ホワイトバランスは照明光の色温度に合わせて白い物が白く見えるように色補正することである。したがって、照明光の色が精度よく推定できれば、精度のよいホワイトバランス調整が行える。しかしながら、実際の画像は、白色以外の物体が数多く含まれたシーンを撮影したものがほとんどであり、画像の色には物体色の影響が多分に含まれている。光源寄与成分と当該光源ｊの標準色とを加重平均することで、光源寄与成分に含まれる物体色の影響を相対的に低減することができ、光源寄与成分をより照明の色に近い値に修正できる。
【００８１】
第二段階では、この第一段階の修正結果（Ｌｍj，ｕｍj，ｖｍj）に対し、被写体輝度を考慮した修正を加える。被写体輝度Ｌｏは、カメラ装置に設けられた被写体輝度検出装置３０にて検出される。この第二段階の修正では光源寄与修正回路１３８は、まず各想定光源ｊについて個別に修正係数Ｃｏjを求める。修正係数Ｃｏjは、各光源ｊについて個別に用意された関数ｈjに、被写体輝度Ｌｏを適用することにより求める。すなわち、
Ｃｏj＝ｈj（Ｌｏ）・・・（１１）
である。
【００８２】
図１６に被写体輝度に基づく修正関数ｈjの一例を示す。この例では、被写体輝度Ｌｏが大きくなるにつれて修正係数Ｃｏが小さくなっており、被写体輝度がある値を超えると修正係数が０になっている。これは光源が蛍光灯である場合の関数ｈjの一例である。撮影シーンが蛍光灯照明下である場合、シーンが昼間の屋外である場合に比べて被写体が暗い。被写体輝度が非常に大きい場合、画像は屋外のシーンを撮影したものである可能性が高く、蛍光灯照明である可能性は低い。そこで、蛍光灯光源の場合、被写体輝度が高くなるにつれて修正係数Ｃｏが小さい値になるようにしている。タングステン光や日陰光のシーンの場合も、昼光シーンに比べて被写体輝度が低いと考えられるので、被写体輝度がある程度以上高くなると修正係数Ｃｏが小さくなるような関数ｈjを用いる。これら修正関数ｈjは、実験等によりあらかじめ求めておき、装置内に記憶しておく。
【００８３】
そして、光源寄与修正回路１３８は、このようにして求めた修正係数Ｃｏを第一段階の修正結果（Ｌｍj，ｕｍj，ｖｍj）に乗じることにより、最終的な修正結果（Ｌｚj，ｕｚj，ｖｚj）を求める。すなわち、
Ｌｚj＝Ｃｏj・Ｌｍjｕｚj＝Ｃｏj・ｕｍjｖｚj＝Ｃｏj・ｖｍj・・・（１２）
である。この修正結果（Ｌｚj，ｕｚj，ｖｚj）は、被写体輝度などのパラメータを考慮して修正された光源寄与成分となっている。この修正結果は、照明色推定回路１３９に入力される。
【００８４】
＜照明色推定回路＞
照明色推定回路１３９は、光源寄与修正回路１３８から入力された各光源ｊの光源寄与成分の修正結果（Ｌｚj，ｕｚj，ｖｚj）と、全体信頼度計算回路１３６で求められたシーン全体に対する各光源ｊの全体信頼度Ｒｔjとに基づき、当該画像の撮影シーンを照明する照明の色（照明色）を推定する。この推定は、光源寄与成分の修正結果（Ｌｚj，ｕｚj，ｖｚj）を、各光源ｊの全体信頼度Ｒｔjを重みとして、想定する全光源について加重平均することにより行う。すなわち、照明色を（ＩＬ，Ｉｕ，Ｉｖ）とすると、
【数４】
2006211440.tif 000006
式（１３）において、Σは全想定光源ｊについての総和である。すなわち、照明色推定回路１３９は、シーンがそれら想定光源ｊで複合的に照明されているとの仮定の下で、加重平均によりその複合照明の照明色を推定している。この照明色は、その複合照明下での白色物体の色に対応する。求められた照明色（ＩＬ，Ｉｕ，Ｉｖ）は、ホワイトバランスゲイン計算回路１４０に入力される。
【００８５】
≪ホワイトバランスゲイン計算回路≫
ホワイトバランスゲイン計算回路１４０は、受け取った照明色（ＩＬ，Ｉｕ，Ｉｖ）の情報に基づき、ホワイトバランス調整のためのゲイン（Ｒgain，Ｇgain，Ｂgain）を計算する。この計算は、以下の式に基づき行われる。
【数５】
2006211440.tif 000007
ＩMax＝ｍａｘ（ＩＲ，ＩＧ，ＩＢ）・・・（１５）
Ｒgain＝ＩMax／ＩＲＧgain＝ＩMax／ＩＧＢgain＝ＩMax／ＩＢ・・・（１６）
【００８６】
（ＩＲ，ＩＧ，ＩＢ）は、照明色のＲＧＢ表現である。求められるホワイトバランスゲイン（Ｒgain，Ｇgain，Ｂgain）は、この色の照明が白色物体で反射されたときの色（すなわち（ＩＲ，ＩＧ，ＩＢ）そのもの）をグレイ（すなわちＲ＝Ｇ＝Ｂ）に補正する値となる。求められたホワイトバランスゲインは、ホワイトバランス調整回路１５０に入力される。
【００８７】
≪ホワイトバランス調整回路≫
ホワイトバランス調整回路１５０は、撮像装置２０から入力された画像の各画素値Ｒ，Ｇ，Ｂに対し、ホワイトバランスゲイン計算回路１４０で求めたゲイン（Ｒgain，Ｇgain，Ｂgain）をそれぞれ乗じることにより、その画像のホワイトバランスを調整する。したがって、オートホワイトバランス装置１０から、次式、
Ｒout＝Ｒgain*ＲＧout＝Ｇgain*ＧＢout＝Ｂgain*Ｂ・・・（１７）
によって求められた出力（Ｒout，Ｇout，Ｂout）が出力される。
【００８８】
以上、実施形態１では、親ブロックを子ブロックに分割して、子ブロックごとに代表値を計算した後、親ブロックの代表色差と、その親ブロックに含まれる各子ブロックの代表色差とを比較することで、所定の条件を満たす子ブロックを選択し、選択された子ブロックのみを用いて、親ブロックの代表値を再計算する。さらに、選択されなかった子ブロックの数に応じて親ブロックの信頼度も下方修正する。よって、実施形態１によれば、たとえ各ブロック内に有彩色のものが存在するときや、ブロック内のＲＧＢの値が一様でない場合であっても、安定したホワイトバランス調整を行うことができる。
【００８９】
［第２の実施の形態］
以下、本発明の第２の実施の形態（以下、実施形態２とする）について、図面を用いて説明する。
【００９０】
図１７は、実施形態２におけるオートホワイトバランス装置１０の構成を詳細に示した機能ブロック図であり、撮影条件判定装置４０が追加されている点で、実施形態１とは異なる。この撮影条件判定装置４０は、親ブロックを子ブロックに分割して、親ブロックの代表値を再計算する処理を行うか否かを、被写体輝度に基づいて判定し、判定結果に応じて、ブロック分割回路１１０に対して子ブロック分割処理の指示を出力する。ブロック分割回路１１０は、入力された画像データを親ブロックごとに分割した後、撮影条件判定装置４０から子ブロック分割処理の指示の入力があった場合のみ、各親ブロックを子ブロックに分割する処理を実行する。
【００９１】
以下、撮影条件判定装置４０における判定の手順について、図１８に示すフローチャートを用いて説明する。
【００９２】
撮影条件判定装置４０は、被写体輝度検出装置３０から出力された被写体輝度Ｌｏが、特定の範囲内かどうかを判定する（Ｓ３０１）。ここで、特定の範囲とは、複数の光源が取りうる輝度範囲のことをいう。実施形態２では、昼光と蛍光灯もしくは、昼光とタングステン光が取りうる範囲を輝度範囲として定める。実施形態２では、輝度範囲を６ＬＶ〜８ＬＶと定める。このような範囲に被写体輝度が存在する場合、親ブロックのみを生成して、各親ブロックの代表値を算出し、その代表値を用いて入力画像の光源推定を行うと、安定したホワイトバランス調整が行えない可能性がある。そこで、実施形態２では、そのような撮影条件の場合には、子ブロックを生成して親ブロックの代表値を再計算し、より安定したホワイトバランス調整を実現する。
【００９３】
Ｓ３０１の判定の結果、被写体輝度が特定の範囲内であれば、撮影条件判定装置４０は、さらに、親ブロック代表値計算回路１２１が計算した各親ブロックの代表色差を取得して、それらの平均値を求める。そして、その平均代表色差が特定の光源範囲内かどうかを判定し（Ｓ３０２）、特定の光源範囲外の場合には、子ブロック分割処理の指示をブロック分割回路１１０に出力する（Ｓ３０３）。一方、Ｓ３０１での判定の結果、被写体輝度が特定の範囲外もしくは、平均代表色差が特定の光源範囲内の場合には、子ブロック分割処理の指示を出力しない。よって、この場合には、親ブロックのみを生成して、親ブロック代表値計算回路１２１で計算した各親ブロックの代表値を用いて入力画像の光源推定を行い、ホワイトバランス調整を行う。
【００９４】
ここで、特定の光源範囲は、色差平面上において定義された光源領域のなかで、複数の光源が取りうる領域であり、特に子ブロック分割処理を実行してホワイトバランス調整を行うと、ホワイトバランス調整を失敗する場合が多い範囲のことをいう。実施形態２では、図１９に示す通り、タングステン光と蛍光灯とが光源として取りうる範囲２２０である。これは、光源としてタングステン光と蛍光灯とが混ざり合った撮影条件において、子ブロック分割処理を実行してホワイトバランス調整を行うと、ホワイトバランス調整を失敗する場合が多いことが理由である。
【００９５】
タングステン光と蛍光灯とが混ざり合った撮影シーンとしては、例えば、通路側がタングステン光により照射され、店内側が蛍光灯により照射されているショッピングモールなどの場所における撮影が挙げられる。図２０は、タングステン光と蛍光灯とが混ざり合った撮影シーンの一例を示す。このようなシーンにおいて、子ブロックに分割して、子ブロックの選定を行うと、図２１に示すような子ブロック選定処理が行われる。すなわち、タングステン光と蛍光灯とが混ざり合った環境のため、図２０に示すようなシーンの画像データを親ブロックに分割すると、光源が蛍光灯の子ブロックと、タングステン光の子ブロックと、蛍光灯とタングステン光とが混ざり合った子ブロックとを含む親ブロックが現れる。このような親ブロックについて、子ブロック選択回路１２３において子ブロックの選択を行うと、蛍光灯を光源とする子ブロックのみが残り、親ブロックの代表値の再計算が行われる。すると、この親ブロックの光源は蛍光灯として正しく判断されるが、除外候補となった子ブロックの数が多いため、この親ブロックの信頼度は低く設定され、結局、画像の光源推定ではこの親ブロックの影響は少なくなる。その結果、光源として蛍光灯とタングステン光とを含むシーンにも拘わらず、タングステン光の影響が強くなり、全体的として青みがかったシーンにホワイトバランス調整が行われてしまう。
【００９６】
一方、このようにタングステン光と蛍光灯とが混ざり合ったシーンについて、子ブロックを生成せずに親ブロックの代表値を計算すると、除外係数Ｃｄは考慮されずに信頼度が求められる。その結果、蛍光灯とタングステン光とがバランス良く影響したホワイトバランス調整を行うことができる。
【００９７】
以上のように、タングステン光と蛍光灯とが混ざり合った撮影条件では、子ブロックを生成せずに求めた親ブロックの代表値に基づいて、画像の光源推定を行った方が正しくホワイトバランス調整が行われる。そのため、実施形態２では、撮影条件判定装置４０は、被写体輝度が昼光と蛍光灯もしくは、昼光とタングステン光が取りうる可能性がある範囲にある場合でも、タングステン光と蛍光灯とが混ざり合った環境では、子ブロック分割処理の指示をブロック分割回路１１０に対して出力しない。
【００９８】
以上、実施形態２では、撮影条件に応じて、撮影条件判定装置４０が子ブロックを生成する処理を実行するか否かを決定する。これにより、すべてのシーンについて、子ブロックを生成して、親ブロックの代表値の再計算を行う処理を実行するよりも、より安定したホワイトバランス調整を実現することができる。
【００９９】
［第３の実施の形態］
以下、本発明の第３の実施の形態（以下、実施形態３とする）について、図面を用いて説明する。
【０１００】
実施形態３は、撮影条件判定装置４０が、親ブロックごとにタングステン光と蛍光灯とが混ざり合った光源か否かを判定して、親ブロックごとに子ブロックを生成するか否かの決定をする点で、実施形態２とは異なる。なお、実施形態３におけるオートホワイトバランス装置１０の構成は、実施形態２の構成と同様でよく、図１７に示す通りである。
【０１０１】
以下、撮影条件判定装置４０における判定の手順について、図２２に示すフローチャートを用いて説明する。
【０１０２】
撮影条件判定装置４０は、被写体輝度検出装置３０から出力された被写体輝度Ｌｏが、特定の範囲内かどうかを判定する（Ｓ４０１）。ここで、特定の範囲とは、実施形態２と同様に、光源として、昼光と蛍光灯もしくは、昼光とタングステン光が取りうる可能性がある被写体輝度の範囲である。
【０１０３】
判定の結果、その範囲に被写体輝度が存在する場合、撮影条件判定装置４０は、変数ｉを初期値「１」に設定し（Ｓ４０２）、親ブロックｉの代表色差が特定の光源範囲内か、すなわち、光源が蛍光灯とタングステン光とが混ざり合ったものかどうかを判定する（Ｓ４０３）。その結果、光源が蛍光灯とタングステン光とが混ざり合ったものでない場合、撮影条件判定装置４０は、親ブロックｉを子ブロック分割対象と決定する（Ｓ４０４）。次いで、変数ｉに１をインクリメントし（Ｓ４０５）、変数ｉが画像データを構成する親ブロックの総数より大きいか否かの判定をする（Ｓ４０６）。判定の結果、変数ｉが画像データを構成する親ブロックの総数以下の場合には、次の親ブロックに対してＳ４０３以降の処理を実行し、すべての親ブロックについて判定が行われた段階でこの処理を終了する。ここでの判定結果は、ブロック分割回路１１０に入力されて、子ブロック分割対象の親ブロックのみが子ブロックに分割され、親ブロックの代表値の再計算処理が実行される。
【０１０４】
このように、親ブロックごとに子ブロックを生成するか否かを判定することで、親ブロックごとに適した方法で代表値を求めることができ、より安定したホワイトバランス調整を実現することができる。また、すべての親ブロックについて子ブロックを生成して親ブロックの代表値を再計算するよりも、効率的に各親ブロックの代表値を求めることができる。
【０１０５】
図２３は、白い壁に光源として蛍光灯とタングステン光とが照射されているシーンの一例を示す。そして、図２４は、このシーンに対して親ブロックのみを生成して各親ブロックの光源の推定を行った場合の光源推定結果を示す。さらに、図２５は、すべての親ブロックについて子ブロックを生成して各親ブロックの光源推定を行った場合の光源推定結果を示す。また、図２６は、蛍光灯とタングステン光とが混ざり合った光源をもつ親ブロックを除いて、子ブロックの生成が行われ、各親ブロックの光源の推定を行った場合の光源推定結果を示す。
【０１０６】
図２３に示すようなシーンについて、親ブロックのみを生成して行われた光源推定の結果に基づいてホワイトバランス調整を行うと、タングステン及びタングステン寄りの蛍光灯の影響を強く受けて調整が行われるため、全体として青みがかったシーンにホワイトバランス調整されてしまう。一方、子ブロックを生成する場合は、図２５に示す通り、タングステン寄りの蛍光灯として光源の推定がされる親ブロックの数も低減し、タングステンと蛍光灯とがバランス良く影響して、ホワイトバランス調整が行われる。また、図２６のように蛍光灯とタングステン光とが混ざり合った光源をもつ親ブロックを除いて、子ブロックの生成を行う場合にも、タングステンと蛍光灯とがバランス良く影響して、ホワイトバランス調整が行われる。よって、実施形態３のように、タングステン光と蛍光灯とが混ざり合った光源か否かを判定して、親ブロックごとに子ブロックを生成するか否かを決定する場合でも、すべての親ブロックに対して子ブロックを生成する場合とほぼ同様にホワイトバランス調整できることがわかる。
【０１０７】
以上、上記各実施形態では、適宜、親ブロックを子ブロックに分割して、子ブロックごとに代表値を計算した後、親ブロックの代表色差と、その親ブロックに含まれる各子ブロックの代表色差とを比較することで、所定の条件を満たす子ブロックを選択し、選択された子ブロックのみを用いて、親ブロックの代表値を再計算する。さらに、選択されなかった子ブロックの数に応じて親ブロックの信頼度も下方修正する。よって、各実施形態によれば、たとえ各ブロック内に有彩色のものが存在するときや、ブロック内のＲＧＢの値が一様でない場合であっても、安定したホワイトバランス調整を行うことができる。
【０１０８】
なお、親ブロックと子ブロックとを区別せずに、単純に子ブロックのみを生成して、子ブロックごとに代表値を求めて、各子ブロックの代表値に基づいて、光源推定を行う方法も考えられる。しかし、この方法では、選択されなかった子ブロックの数に応じた親ブロックの信頼度の下方修正は行われないため、適切にホワイトバランス調整が行えない。つまり、例えば、図８に示すシーンを単純に子ブロック単位に分割して光源推定を行うと、図２７に示すような結果を得る。すなわち、子ブロックの中には光源を昼光と推定されるものも含まれているが、全体としては光源を蛍光灯と推定される子ブロックが占める。そして、蛍光灯を光源と推定される子ブロックの信頼度は下方修正されないため、このままホワイトバランス調整が行われると、蛍光灯の影響を強く受けて、全体として紫がかった色に調整されてしまう。よって、単純に子ブロックのみを生成する場合、つまり、画像データを単純に従来よりも細かくブロック分割して各子ブロックの代表値に基づいて光源の推定を行う場合には、上記各実施形態のような効果は得られない。
【図面の簡単な説明】
【０１０９】
【図１】実施形態１乃至３におけるオートホワイトバランス装置の構成を示す機能ブロック図である。
【図２】実施形態１におけるオートホワイトバランス装置の構成をより詳細に示す機能ブロック図である。
【図３】入力画像の親ブロック分割の一例を示す図である。
【図４】入力画像の子ブロック分割の一例を示す図である。
【図５】子ブロック選択回路が行う閾値設定の手順を示すフローチャート図である。
【図６】色差平面上に定義された各光源の領域の一例を示す図である。
【図７】子ブロック選択回路が行う子ブロック選定の手順を示すフローチャート図である。
【図８】シーン全体に木々等の緑色の物体が存在する画像データの一例を示す図である。
【図９】親ブロックのみを生成して親ブロックの代表値を計算した場合における光源判定の結果の一例を示す図である。
【図１０】子ブロックを生成して親ブロックの代表値を再計算した場合における光源判定の結果の一例を示す図である。
【図１１】分散係数を求めるための関数の一例を示す図である。
【図１２】飽和係数を求めるための関数の一例を示す図である。
【図１３】ブロック信頼度を求めるための関数の一例を示す図である。
【図１４】輝度係数を求めるための関数の一例を示す図である。
【図１５】位置係数の設定例を示す図である。
【図１６】被写体輝度に基づく修正係数を求めるための関数の一例を示す図である。
【図１７】実施形態２におけるオートホワイトバランス装置の構成をより詳細に示す機能ブロック図である。
【図１８】実施形態２における撮影条件判定装置が行う子ブロックの分割処理を実行するか否かの判定の手順を示すフローチャート図である。
【図１９】撮影条件判定装置によって子ブロックの分割処理を実行しないと判定される特定の光源の色差平面上での領域を示す図である。
【図２０】タングステン光と蛍光灯とが混ざり合った撮影シーンの一例を示す図である。
【図２１】タングステン光と蛍光灯とが混ざり合った撮影シーンにおいて、子ブロックの選定を行った場合の選定結果を説明するための図である。
【図２２】実施形態３における撮影条件判定装置が行う子ブロックの分割処理を実行するか否かの判定の手順を示すフローチャート図である。
【図２３】白い壁に光源として蛍光灯とタングステン光とが照射されているシーンの一例を示す図である。
【図２４】図２３に示すシーンに対して、親ブロックのみを生成して各親ブロックの光源の推定を行った場合の光源推定結果を示す図である。
【図２５】図２３に示すシーンに対して、すべての親ブロックについて子ブロックを生成して各親ブロックの光源推定を行った場合の光源推定結果を示す図である。
【図２６】図２３に示すシーンに対して、蛍光灯とタングステン光とが混ざり合った光源をもつ親ブロックを除いて、子ブロックの生成が行われ、各親ブロックの光源の推定を行った場合の光源推定結果を示す図である。
【図２７】図８に示すシーンに対して、画像を単純に子ブロック単位に分割して光源推定を行った場合の光源推定結果を示す図である。
【符号の説明】
【０１１０】
１０  オートホワイトバランス装置、２０  撮像装置、３０  被写体輝度検出装置、４０  撮影条件判定装置、１１０  ブロック分割回路、１１１  親ブロック分割回路、１１２  子ブロック分割回路、１２０  代表値計算回路、１２１  親ブロック代表値計算回路、１２２  子ブロック代表値計算回路、１２３  子ブロック選択回路、１２４  親ブロック代表値再計算回路、１３０  ホワイトバランス評価回路、１３１  分散係数計算回路、１３２  飽和係数計算回路、１３３  除外係数設定回路、１３４  ブロック信頼度計算回路、１３５  信頼度修正回路、１３６  全体信頼度計算回路、１３７  光源寄与計算回路、１３８  光源寄与修正回路、１３９  照明色推定回路、１４０  ホワイトバランスゲイン計算回路、１５０  ホワイトバランス調整回路。
【図１】
2006211440.tif 000008
【図２】
2006211440.tif 000009
【図３】
2006211440.tif 000010
【図４】
2006211440.tif 000011
【図５】
2006211440.tif 000012
【図６】
2006211440.tif 000013
【図７】
2006211440.tif 000014
【図１１】
2006211440.tif 000015
【図１２】
2006211440.tif 000016
【図１３】
2006211440.tif 000017
【図１４】
2006211440.tif 000018
【図１５】
2006211440.tif 000019
【図１６】
2006211440.tif 000020
【図１７】
2006211440.tif 000021
【図１８】
2006211440.tif 000022
【図２２】
2006211440.tif 000023
【図２３】
2006211440.tif 000024
【図８】
2006211440.tif 000025
【図９】
2006211440.tif 000026
【図１０】
2006211440.tif 000027
【図１９】
2006211440.tif 000028
【図２０】
2006211440.tif 000029
【図２１】
2006211440.tif 000030
【図２４】
2006211440.tif 000031
【図２５】
2006211440.tif 000032
【図２６】
2006211440.tif 000033
【図２７】
2006211440.tif 000034